(57)【特許請求の範囲】
【請求項１】
側壁部を有するケースを含む筐体と、
前記筐体に収容されると共に、レンズ体を保持可能な筒状のレンズ保持部材と、
前記レンズ保持部材を光軸方向へ移動可能に支持する付勢部材と、
前記レンズ保持部材を光軸方向に沿って移動させる駆動用磁石およびコイルを有して構成される駆動機構と、を備えたレンズ駆動装置において、
前記レンズ保持部材の光軸方向における位置を検出する位置検出手段を有し、
前記位置検出手段は、前記レンズ保持部材に固定された検出用磁石と当該検出用磁石に対向して設けられた磁気検出部材とを有して構成され、
前記磁気検出部材が実装されると共に当該磁気検出部材に導通する複数の導電部材が設けられた板状部材が、前記レンズ保持部材の側方で立設するように配設されており、
前記板状部材の立設する面の端部は、前記ケースの前記側壁部の端部と係合するように構成されていることを特徴とするレンズ駆動装置。
【請求項２】
前記導電部材は、前記板状部材に埋設された金属部材からなると共に、一部が前記板状部材から露出して外部端子を構成している、ことを特徴とする請求項１に記載のレンズ駆動装置。
【請求項３】
前記筐体は、前記ケースに一体化されるベース部材を有し、
前記ベース部材には、前記コイルに通電するための複数の給電端子が設けられており、前記外部端子と前記給電端子とが一列に並んでいる、ことを特徴とする請求項２に記載のレンズ駆動装置。
【請求項４】
前記ケースは金属板で形成されると共に、前記ベース部材には、前記ケースを接地するための接地用端子が設けられており、前記外部端子、前記給電端子及び前記接地用端子が一列に並んでいる、ことを特徴とする請求項３に記載のレンズ駆動装置。
【請求項５】
前記ベース部材の側端部には、前記板状部材を立設させた状態で配置可能な切り欠き部が形成されており、前記側端部における前記切り欠き部が設けられていない部分に前記給電端子が配置されている、ことを特徴とする請求項３または請求項４に記載のレンズ駆動装置。
【請求項６】
前記板状部材の一面側に前記磁気検出部材が固定されていると共に、前記板状部材の他面が前記ケースの前記側壁部の内面に接着剤によって固定されている、ことを特徴とする請求項１ないし請求項５のいずれかに記載のレンズ駆動装置。
【請求項７】
前記板状部材の他面側には、溝状に形成された係合部が設けられていると共に、前記ケースの前記側壁部には、下方へ突出する突出部が形成されており、前記突出部と前記係合部とが係合する、ことを特徴とする請求項６に記載のレンズ駆動装置。
【請求項８】
前記板状部材の立設する面の端部には、前記側壁部の端部と係合するように構成された段差部が設けられていることを特徴とする請求項１ないし請求項７のいずれかに記載のレンズ駆動装置。
【発明の詳細な説明】
【技術分野】
【０００１】
本発明は、レンズ駆動装置に関し、特に、オートフォーカスに対応したレンズ駆動装置に関するものである。
【背景技術】
【０００２】
静止画または動画を撮影する機能を備えた携帯機器においては、撮影用のレンズを駆動させるために、ボイスコイルモータを用いたレンズ駆動装置が備えられている。このようなレンズ駆動装置としては、下記の特許文献１に記載のレンズ駆動装置が知られている。
【０００３】
以下、図２７を用いて、特許文献１に記載のレンズ駆動装置について説明する。図２７は特許文献１に記載のレンズ駆動装置９００の構成を示す分解斜視図である。
【０００４】
特許文献１に記載のレンズ駆動装置９００は、外壁部９０８ｇと複数の内壁部９０８ｂと連結部９０８ｈとを有するヨーク９０８と、ヨーク９０８の内側に配設され、レンズ体を保持可能なレンズ保持体９０３と、レンズ保持体９０３に巻かれるコイル９０４と、コイル９０４を挟んで内壁部９０８ｂに対向配置される磁石９０５と、レンズ保持体９０３を光軸方向へ移動可能に支持する弾性部材９１１と、を有している。また、コイル９０４は磁石９０５が発生する磁界を横切るように配置されている。このように配置されたコイル９０４に電流が流れると、コイル９０４には誘導起電力が発生し、コイル９０４が巻回されたレンズ保持体９０３はレンズ体の光軸方向へ移動する。このようにレンズ保持体９０３がレンズ体の光軸方向へ移動することで、撮影する画像のピントを合わせることができる。
【先行技術文献】
【特許文献】
【０００５】
【特許文献１】実新第３１７９６３４号公報
【発明の概要】
【発明が解決しようとする課題】
【０００６】
なお、昨今は、オートフォーカスによる撮影機能を備えた携帯機器も増え来ている。また、オートフォーカスにはより早くピントを合わせることが望まれている。すなわち、レンズ駆動装置においては、オートフォーカスの高速化に対応可能なレンズ駆動装置が望まれている。
【０００７】
しかしながら、特許文献１に記載のレンズ駆動装置９００は、レンズ保持体９０３の詳細な位置を制御していないため、レンズ体（レンズ保持体９０３）の位置が定まるまでの時間が長く、オートフォーカスの高速化に対応するのは困難である。
【０００８】
本発明は、上述した課題を解決して、オートフォーカスの高速化に対応可能なレンズ駆動装置を提供するものである。
【課題を解決するための手段】
【０００９】
本発明のレンズ駆動装置は、側壁部を有するケースを含む筐体と、前記筐体に収容されると共に、レンズ体を保持可能な筒状のレンズ保持部材と、前記レンズ保持部材を光軸方向へ移動可能に支持する付勢部材と、前記レンズ保持部材を光軸方向に沿って移動させる駆動用磁石およびコイルを有して構成される駆動機構と、を備えたレンズ駆動装置において、前記レンズ保持部材の光軸方向における位置を検出する位置検出手段を有し、前記位置検出手段は、前記レンズ保持部材に固定された検出用磁石と当該検出用磁石に対向して設けられた磁気検出部材とを有して構成され、前記磁気検出部材が実装されると共に当該磁気検出部材に導通する複数の導電部材が設けられた板状部材が、前記レンズ保持部材の側方で立設するように配設されており、前記板状部材の立設する面の端部は、前記ケースの前記側壁部の端部と係合するように構成されている、ことを特徴とする。
【００１０】
これにより、レンズ保持部材の光軸方向における位置を検出する位置検出手段を設けることで、レンズ保持部材の位置を補正しながらレンズ保持部材を画像のピントが合う位置等の所定の位置まで移動させることができる。よって、レンズ保持部材の位置が定まるまでの時間を短縮することができる。また、磁気検出部材は、板状部材によって、容易に検出用磁石と対向させて配置できると共に、板状部材は、レンズ保持部材の側方に配設されたものであるため、磁気検出部材や板状部材を、レンズ保持部材の下方側に配置する場合に比べて、レンズ駆動装置の高さ寸法（光軸方向における寸法）が大きくなるのを抑制することができる。
【００１１】
また、本発明のレンズ駆動装置では、前記導電部材は、前記板状部材に埋設された金属部材からなると共に、一部が前記板状部材から露出して外部端子を構成している、ことを特徴とする。
【００１２】
これにより、導電部材が、板状部材に埋設された金属部材からなると共に、一部が板状部材から露出して外部端子を構成しているので、磁気検出部材と、レンズ駆動装置が実装される基板等の配線パターンとを、コネクタやリード線等を用いることなく、外部端子を介して容易に電気的に接続することができる。
【００１３】
また、本発明のレンズ駆動装置では、前記筐体は、前記ケースに一体化されるベース部材を有し、前記ベース部材には、前記コイルに通電するための複数の給電端子が設けられており、前記外部端子と前記給電端子とが一列に並んでいる、ことを特徴とする。
【００１４】
これにより、外部端子と給電端子とが一列に並んでいるので、レンズ駆動装置が実装される実装基板等の配線パターンのレイアウトが容易となる。
【００１５】
また、本発明のレンズ駆動装置は、前記ケースは金属板で形成されると共に、前記ベース部材には、前記ケースを接地するための接地用端子が設けられており、前記外部端子、前記給電端子及び前記接地用端子が一列に並んでいる、ことを特徴とする。
【００１６】
これにより、レンズ駆動装置が実装される実装基板等の配線パターンのレイアウトが、より容易となる。
【００１７】
また、本発明のレンズ駆動装置は、前記ベース部材の側端部には、前記板状部材を立設させた状態で配置可能な切り欠き部が形成されており、前記側端部における前記切り欠き部が設けられていない部分に前記給電端子が配置されている、ことを特徴とする。
【００１８】
これにより、外部端子と給電端子とを容易に一列に並べることができる。
【００１９】
また、本発明のレンズ駆動装置は、前記板状部材の一面側に前記磁気検出部材が固定されていると共に、前記板状部材の他面が前記ケースの側壁部の内面に接着剤によって固定されている、ことを特徴とする。
【００２０】
これにより、広い面積で接着できるので、板状部材を確実に立設した状態に保つことができる。
【００２１】
また、本発明のレンズ駆動装置は、前記板状部材の他面側には、溝状に形成された係合部が設けられていると共に、前記ケースの前記側壁部には、下方へ突出する突出部が形成されており、前記突出部と前記係合部とが係合する、ことを特徴とする。
【００２２】
これにより、係合部に突出部が挿入されるという簡単な構成で、ケースの位置決めを行うことができる。
【発明の効果】
【００２３】
本発明によれば、オートフォーカスの高速化に対応可能なレンズ駆動装置を提供することができる。
【図面の簡単な説明】
【００２４】
【図１】第１実施形態におけるレンズ駆動装置１００の外観を示す図であり、図１（ａ）はレンズ駆動装置１００の外観を示す斜視図であり、図１（ｂ）は図１（ａ）に記載のＺ１方向側から見た状態のレンズ駆動装置１００を示す平面図である。
【図２】第１実施形態におけるレンズ駆動装置１００の構成を示す分解斜視図である。
【図３】第１実施形態における固定側部材５０を示す図であり、図３（ａ）は固定側部材５０の構成を示す分解斜視図であり、図３（ｂ）は固定側部材５０の外観を示す斜視図である。
【図４】第１実施形態におけるスペーサー１３を示す図であり、図４（ａ）はスペーサー１３の外観を示す斜視図であり、図４（ｂ）は図４（ａ）に記載のＺ２方向側から見た状態のスペーサー１３を示す斜視図である。
【図５】第１実施形態におけるケース１を示す図であり、図５（ａ）はケース１の外観を示す斜視図であり、図５（ｂ）は図５（ａ）に記載のＺ２方向側から見た状態のケース１を示す斜視図である。
【図６】第１実施形態におけるベース部材８を示す図であり、図６（ａ）はベース部材８の外観を示す斜視図であり、図６（ｂ）は図６（ａ）に記載のＺ１方向側から見た状態のベース部材８を示す平面図である。
【図７】第１実施形態におけるベース部材８に埋設されている金属部材８ｍを示す図であり、図７（ａ）は金属部材８ｍの外観を示す斜視図であり、図７（ｂ）は図７（ａ）に記載のＺ１方向側から見た状態の金属部材８ｍを示す平面図である。
【図８】第１実施形態における板状部材９を示す図であり、図８（ａ）は板状部材９の外観を示す斜視図であり、図８（ｂ）は図８（ａ）に記載のＹ１方向側から見た状態の板状部材を示す斜視図である。
【図９】第１実施形態におけるコイル４の外観を示す斜視図である。
【図１０】第１実施形態におけるレンズ保持部材２を示す図であり、図１０（ａ）はレンズ保持部材２の外観を示す斜視図であり、図１０（ｂ）は図１０（ａ）に記載のＸ２方向側から見た状態のレンズ保持部材２を示す側面図である。
【図１１】第１実施形態におけるレンズ保持部材２を示す図であり、図１１（ａ）は図１０（ａ）に記載のＺ１方向側から見た状態のレンズ保持部材２を示す平面図であり、図１１（ｂ）は図１０（ａ）に記載のＺ２方向側から見た状態のレンズ保持部材２を示す平面図である。
【図１２】第１実施形態におけるコイル４、検出用磁石５、バランサー７が一体に形成されたレンズ保持部材２を示す図であり、図１２（ａ）はコイル４、検出用磁石５、バランサー７が一体に形成されたレンズ保持部材２を示す斜視図であり、図１２（ｂ）は図１２（ａ）に記載のＺ１方向側から見た状態のコイル４、検出用磁石５、バランサー７が一体に形成されたレンズ保持部材２を示す平面図である。
【図１３】図１２（ａ）に記載のＡ部をＺ２方向側から見た状態を拡大して示す拡大斜視図である。
【図１４】第１実施形態における付勢部材６０の外観を示す斜視図である。
【図１５】第１実施形態における上側板ばね１０を示す図であり、図１５（ａ）は上側板ばね１０の外観を示す斜視図であり、図１５（ｂ）は図１５（ａ）に記載のＺ１方向側から見た状態の上側板ばね１０を示す平面図である。
【図１６】第１実施形態における下側板ばね１１を示す図であり、図１６（ａ）は下側板ばね１１の外観を示す斜視図であり、図１６（ｂ）は図１６（ａ）に記載のＺ１方向側から見た状態の下側板ばね１１を示す平面図である。
【図１７】第１実施形態におけるケース１への上側板ばね１０およびスペーサー１３の固定方法について説明する図であり、図１７（ａ）はケース１、上側板ばね１０、スペーサー１３を示す分解斜視図であり、図１７（ｂ）は上側板ばね１０およびスペーサー１３がケース１に固定された状態を示す斜視図であり、図１７（ｃ）は図１７（ｂ）に記載のＢ部をＺ２方向側から見た状態を拡大して示した拡大図である。
【図１８】第１実施形態におけるケース１への駆動用磁石３および板状部材９の固定方法について説明する図であり、図１８（ａ）はケース１、駆動用磁石３、板状部材９を示す分解斜視図であり、図１８（ｂ）は駆動用磁石３および板状部材９がケース１に固定された状態を示す斜視図であり、図１８（ｃ）は磁気検出部材６の取付状態を示す斜視図である。
【図１９】第１実施形態におけるレンズ保持部材２への下側板ばね１１の固定方法について説明する図であり、図１９（ａ）はレンズ保持部材２および下側板ばね１１を示す分解斜視図であり、図１９（ｂ）はレンズ保持部材２に下側板ばね１１が固定された状態を示す斜視図である。
【図２０】図１９（ｂ）に記載のＣ部を拡大して示す拡大図であり、図２０（ａ）は図１９に記載のＺ２方向側から見た状態のＣ部を示す拡大平面図であり、図２０（ｂ）は図１９に記載のＸ２方向側から見た状態のＣ部を示す拡大側面図である。
【図２１】第１実施形態におけるベース部材８へのレンズ保持部材２の固定方法について説明する図であり、図２１（ａ）はレンズ保持部材２およびベース部材８を示す分解斜視図であり、図２１（ｂ）は下側板ばね１１を介してレンズ保持部材２がベース部材８に固定された状態を示す斜視図である。
【図２２】第１実施形態における下側板ばね１１を介して一体に形成されたレンズ保持部材２とベース部材８とを示す図であり、図２２（ａ）は図２１に記載のＺ１方向側から見た状態の一体に形成されたレンズ保持部材２とベース部材８とを示す平面図であり、図２２（ｂ）は図２１に記載のＹ１方向側から見た状態の一体に形成されたレンズ保持部材２とベース部材８とを示す側面図であり、図２２（ｃ）は図２２（ａ）に記載のＤ部を拡大して示す拡大図である。
【図２３】第１実施形態におけるケース１のベース部材８への固定方法を説明する図であり、図２３（ａ）はケース１とベース部材８とを示す分解斜視図であり、図２３（ｂ）はレンズ駆動装置１００の外観を示す斜視図である。
【図２４】ダンパ材１２の配置構成について説明する図であり、図２４（ａ）は図２３（ｂ）に記載のＺ１方向側から見た状態のレンズ駆動装置１００を示す平面図であり、図２４（ｂ）は図２４（ａ）に記載のＥ部を拡大して示す拡大図である。
【図２５】第１実施形態におけるレンズ駆動装置１００の内部構造を示す模式図であり、図２５（ａ）は図２３（ｂ）に記載のＺ１方向側から見た状態のレンズ駆動装置１００の内部構造を示す模式図であり、図２５（ｂ）は図２３（ｂ）に記載のＸ２方向側から見た状態のレンズ駆動装置１００の内部構造を示す模式図である。なお、図２５においては説明を容易にするために、上側板ばね１０およびスペーサー１３など一部の構成部品は記載していない。
【図２６】第１実施形態におけるダンパ材１２の配置構成の変形例を示す図であり、図２６（ａ）は連結部６０ｆと固定側部材５０との間にのみダンパ材１２を設けた変形例を示す模式図であり、図２６（ｂ）は連結部６０ｆと第１部分６０ｂとの間にのみダンパ材１２を設けた変形例を示す模式図である。なお、図２６においては説明を容易にするために、いくつかの構成部品は記載していない。また、図２６（ｂ）に記載の上側板ばね１０は、第１実施形態における上側板ばね１０とは構造が異なるが、部位名および符号は同じものを用いている。
【図２７】特許文献１に記載のレンズ駆動装置９００の構成を示す分解斜視図である。
【発明を実施するための形態】
【００２５】
［第１実施形態］
以下に第１実施形態におけるレンズ駆動装置１００について説明する。
【００２６】
まず始めに第１実施形態におけるレンズ駆動装置１００の構成について図１ないし図１６を用いて説明する。図１は第１実施形態におけるレンズ駆動装置１００の外観を示す図であり、図１（ａ）はレンズ駆動装置１００の外観を示す斜視図であり、図１（ｂ）は図１（ａ）に記載のＺ１方向側から見た状態のレンズ駆動装置１００を示す平面図である。図２は第１実施形態におけるレンズ駆動装置１００の構成を示す分解斜視図である。図３は第１実施形態における固定側部材５０を示す図であり、図３（ａ）は固定側部材５０の構成を示す分解斜視図であり、図３（ｂ）は固定側部材５０の外観を示す斜視図である。図４は第１実施形態におけるスペーサー１３を示す図であり、図４（ａ）はスペーサー１３の外観を示す斜視図であり、図４（ｂ）は図４（ａ）に記載のＺ２方向側から見た状態のスペーサー１３を示す斜視図である。図５は第１実施形態におけるケース１を示す図であり、図５（ａ）はケース１の外観を示す斜視図であり、図５（ｂ）は図５（ａ）に記載のＺ２方向側から見た状態のケース１を示す斜視図である。図６は第１実施形態におけるベース部材８を示す図であり、図６（ａ）はベース部材８の外観を示す斜視図であり、図６（ｂ）は図６（ａ）に記載のＺ１方向側から見た状態のベース部材８を示す平面図である。図７は第１実施形態におけるベース部材８に埋設されている金属部材８ｍを示す図であり、図７（ａ）は金属部材８ｍの外観を示す斜視図であり、図７（ｂ）は図７（ａ）に記載のＺ１方向側から見た状態の金属部材８ｍを示す平面図である。図８は第１実施形態における板状部材９を示す図であり、図８（ａ）は板状部材９の外観を示す斜視図であり、図８（ｂ）は図８（ａ）に記載のＹ１方向側から見た状態の板状部材９を示す斜視図である。図９は第１実施形態におけるコイル４の外観を示す斜視図である。図１０は第１実施形態におけるレンズ保持部材２を示す図であり、図１０（ａ）はレンズ保持部材２の外観を示す斜視図であり、図１０（ｂ）は図１０（ａ）に記載のＸ２方向側から見た状態のレンズ保持部材２を示す側面図である。図１１は第１実施形態におけるレンズ保持部材２を示す図であり、図１１（ａ）は図１０（ａ）に記載のＺ１方向側から見た状態のレンズ保持部材２を示す平面図であり、図１１（ｂ）は図１０（ａ）に記載のＺ２方向側から見た状態のレンズ保持部材２を示す平面図である。図１２は第１実施形態におけるコイル４、検出用磁石５、バランサー７が一体に形成されたレンズ保持部材２を示す図であり、図１２（ａ）はコイル４、検出用磁石５、バランサー７が一体に形成されたレンズ保持部材２を示す斜視図であり、図１２（ｂ）は図１２（ａ）に記載のＺ１方向側から見た状態のコイル４、検出用磁石５、バランサー７が一体に形成されたレンズ保持部材２を示す平面図である。図１３は図１２（ａ）に記載のＡ部をＺ２方向側から見た状態を拡大して示す拡大斜視図である。図１４は第１実施形態における付勢部材６０の外観を示す斜視図である。図１５は第１実施形態における上側板ばね１０を示す図であり、図１５（ａ）は上側板ばね１０の外観を示す斜視図であり、図１５（ｂ）は図１５（ａ）に記載のＺ１方向側から見た状態の上側板ばね１０を示す平面図である。図１６は第１実施形態における下側板ばね１１を示す図であり、図１６（ａ）は下側板ばね１１の外観を示す斜視図であり、図１６（ｂ）は図１６（ａ）に記載のＺ１方向側から見た状態の下側板ばね１１を示す平面図である。
【００２７】
第１実施形態におけるレンズ駆動装置１００は、図１に示すように、上下方向（Ｚ１−Ｚ２方向）に貫通した孔を有する直方体状に形成され、図２に示すように、固定側部材５０と、レンズ保持部材２と、付勢部材６０と、駆動機構７０と、位置検出手段８０と、ダンパ材１２と、を有している。なお、固定側部材５０は、ケース１とベース部材８とからなる筺体４０とスペーサー１３とからなる。また、付勢部材６０は上側板ばね１０と下側板ばね１１とからなり、駆動機構７０は駆動用磁石３およびコイル４を有して構成され、位置検出手段８０は検出用磁石５と磁気検出部材６とを有して構成される。
【００２８】
固定側部材５０は、図３に示すように、ケース１と、ベース部材８と、スペーサー１３と、から構成されている。筺体４０はケース１とベース部材８とから形成されているため、固定側部材５０は筺体４０を含んで構成されていると言える。
【００２９】
スペーサー１３は合成樹脂材からなり、図４に示すように、上方（Ｚ１方向側）からの平面視にて、長方形の環状に形成されている。スペーサー１３は、一対の対角位置（Ｘ１方向側で且つＹ２方向側と、Ｘ２方向側で且つＹ１方向側）の下面に下方へ突出するように形成された位置決め突起１３ａが形成されている。位置決め突起１３ａは円柱状に突出して形成され、一対の対角位置にそれぞれ２つずつ設けられている。
【００３０】
ケース１は非磁性の金属材料からなる金属板で形成され、図５に示すように、中空で且つ下方（Ｚ２方向側）が開放された直方体状に形成されている。ケース１は、直方体の側面に該当する位置に、それぞれ上下方向へ立設された側壁部１ｂを４つ有し、隣り合う側壁部１ｂ同士は角部１ａによって繋げられている。なお、１つ（Ｙ２方向側に配置された）の側壁部１ｂには、下端部から下方へ突出する突出部１ｃが形成されており、突出部１ｃは一方側（Ｘ２方向側）に寄った位置に配置されている。また、ケース１は、ケース１の上方を覆うとともに、角部１ａおよび側壁部１ｂと一体に形成された天面部１ｅを有している。また、ケース１は、天面部１ｅの中央部に、円形状に開口した開口部１ｄを有する。なお、光軸ＬＳは、天面部１ｅに直交するとともに、開口部１ｄの成す円の中心を通る。このように形成されたケース１は、中空の内部にスペーサー１３を配置可能な大きさである。
【００３１】
ベース部材８は、図６に示すように、合成樹脂材からなり、上方（Ｚ１方向側）からの平面視にて、外形が長方形状で且つ内側に円形状の開口を有する板状に形成された台座部８ｅを備えている。台座部８ｅは、上面の四隅部に上方へ突出するとともに上方の面が平坦に形成された下側板ばね配置部８ｆを有し、下側板ばね配置部８ｆの上面には上方へ突出し円柱状に形成された下側板ばね固定突起８ｇがそれぞれ１つずつ設けられている。また、ベース部材８の一側面（Ｙ２方向側の側面）である側端部８ｃには、一方側（Ｘ２方向側）に切り欠き部８ｄが凹状に形成されている。また、ベース部材８は、側端部８ｃに対向する側の上面に、下側板ばね配置部８ｆ同士を繋ぐ壁状に上方へ突出した規制壁８ｈが形成され、規制壁８ｈの延設方向（Ｘ１−Ｘ２方向）における中央部には、規制壁８ｈを分断するように規制凹部８ｋが形成されている。なお、規制凹部８ｋは台座部８ｅの上面に達する位置まで切り込むように形成されている。また、台座部８ｅの内部には、図７に示すような、金属部材８ｍが埋設され、その一部は台座部８ｅから露出または突出している。金属部材８ｍは金属板からなり、それぞれが円弧状に形成されるとともに、台座部８ｅの開口に沿うように並べて配置され、隣り合うように配置することで円形を成す第１金属部材８ｎおよび第２金属部材８ｐと、台座部８ｅの四隅部にそれぞれ配置される固定板８ｑと、からなる。なお、第１金属部材８ｎと、第２金属部材８ｐと、固定板８ｑとの間には電気的な接続はされていない。第１金属部材８ｎの一端側（Ｙ２方向側）には、下方（Ｚ２方向）へ折り曲げ加工された第１給電端子８ｒが形成され、他端側には上方へ折り曲げ加工された第１接続部８ｓが形成されている。また、第２金属部材８ｐの一端側（Ｙ２方向側）には、下方へ折り曲げ加工された第２給電端子８ｔが形成され、他端側には上方へ折り曲げ加工された第２接続部８ｖが形成されている。また、第１給電端子８ｒの近傍に配置された固定板８ｑの一部は下方へ延設され、接地用端子８ｂを形成している。このように形成された金属部材８ｍは、固定板８ｑの一部、第１給電端子８ｒ、第１接続部８ｓ、第２給電端子８ｔ、第２接続部８ｖ、接地用端子８ｂ、が台座部８ｅから露出または突出している。図６に示すように、第１給電端子８ｒ、第２給電端子８ｔ、接地用端子８ｂは、側端部８ｃの他方側（Ｘ１方向側）、すなわち側端部８ｃにおける切り欠き部８ｄが設けられていない部分から下方へ突出するように、切り欠き部８ｄに近い側（Ｘ２方向側）から第２給電端子８ｔ、第１給電端子８ｒ、接地用端子８ｂの順番に並べて配置されている。このように並べて配置されることで、第１給電端子８ｒと第２給電端子８ｔとからなる給電用端子８ａが設けられる。なお、給電用端子８ａと接地用端子８ｂとは同一のピッチで同一直線状に一列に並んでいる。また、側端部８ｃに対向する側（Ｙ１方向側）で且つ他方側（Ｘ１方向側）に配置された下側板ばね配置部８ｆの上面には第１接続部８ｓが露出しており、側端部８ｃに対向する側で且つ一方側（Ｘ２方向側）に配置された下側板ばね配置部８ｆの上面には第２接続部８ｖが露出している。なお、光軸ＬＳは、台座部８ｅが有する開口の中心を通るとともに、台座部８ｅに直交するように設けられている。
【００３２】
このように形成されたベース部材８の上方にケース１が重ねて配置され、ベース部材８がケース１に一体化されることで、図３に示すように、筺体４０が直方体状に形成され、ケース１の内部にスペーサー１３を固定した状態で筺体４０を形成することで固定側部材５０が形成される。なお、スペーサー１３の固定の仕方については別途説明する。
【００３３】
板状部材９は、図８に示すように、板状に形成されている。板状部材９は、合成樹脂材からなり板状に形成された基材部９ｄを有し、基材部９ｄには導電パターンを成すように形成された金属部材が埋設されている。なお、基材部９ｄの幅方向（Ｘ１−Ｘ２方向）における寸法は、ベース部材８の切り欠き部８ｄに挿入可能な寸法に形成されている。板状部材９に埋設された金属部材は、基材部９ｄの一面側（Ｙ１方向側の面）に露出し導電パターンを形成する導電部材９ｂと、導電部材９ｂに連続して形成されるとともに、基材部９ｄの下方端（Ｚ２方向側端部）から下方へ突出する複数の外部端子９ａと、を有する。なお、第１実施形態においては外部端子９ａは４本設けられており、４本の外部端子９ａは給電用端子８ａおよび接地用端子８ｂが配設されたピッチと同一のピッチで同一直線状に一列に並んでいる。また、板状部材９の他面側の下端部には他面に対して突出する段差部９ｅが形成されており、段差部９ｅの幅方向における中央部には、段差部９ｅを分断するように溝状に形成された係合部９ｃが設けられている。なお、係合部９ｃはケース１の突出部１ｃを挿入可能な間隔に形成されている。また、第１実施形態においては、板状部材９の一面側に磁気検出部材６が実装され、半田付けにより導電部材９ｂに固定されている。板状部材９の一面側に固定された磁気検出部材６は、板状部材９の一面側に露出した導電部材９ｂと電気的に接続され導通している。すなわち、外部端子９ａは、導電部材９ｂを介して磁気検出部材６に電気的に接続されている。
【００３４】
磁気検出部材６は、第１実施形態においては、ホール素子（ホールＩＣ）である。磁気検出部材６は直方体状に形成され、一つの面（Ｙ１方向側の面）が磁気を検出可能な検出面６ａとなっており、検出面６ａの裏面の両端部に入力用または出力用の端子部６ｂを有する。なお、板状部材９に固定される際には、端子部６ｂが導電部材９ｂに半田付けされる。
【００３５】
駆動用磁石３は、図２に示すように、断面形状が同じ長さの脚を有する台形である柱状に形成された磁石である。なお、台形の２つの脚が成す角度は９０度である。駆動用磁石３は、断面形状である台形の上底を含む面および下底を含む面が磁極となるように着磁されている。
【００３６】
検出用磁石５は、図２に示すように、長方形の板状に形成された磁石である。検出用磁石５は、板面（もっとも面積が大きな面）が磁極となるように着磁されている。
【００３７】
バランサー７は、図２に示すように、検出用磁石５と同一形状で且つ同じ重量である。また、第１実施形態においては、バランサー７は、検出用磁石５と同じ形状に形成されるとともに、検出用磁石５と同様に着磁された磁石からなる。
【００３８】
コイル４は金属線材からなり、図９に示すように、多角形状の柱状の物体の周囲に巻回したように形成された巻回部４ａを有し、金属線材の両側の端部４ｂは巻回部４ａから延設されている。また、コイル４を形成する金属線材の表面は絶縁材により覆われているが、端部４ｂの一部は絶縁材が施されていない。
【００３９】
レンズ保持部材２は合成樹脂材からなり、図１０に示すように、レンズ体ＬＥを保持可能な筒状に形成されている。レンズ保持部材２は円筒状に形成された筒状部２ａを有し、筒状部２ａの外周面は上方側から見た場合に八角形となるように形成されるとともに、筒状部２ａの内壁面にはレンズ体ＬＥをねじ止め可能とするねじ山が形成されている。なお、レンズ体ＬＥの光軸ＬＳは、筒状部２ａの中心軸に一致する。筒状部２ａの上方側（Ｚ１方向側）の端部には、光軸ＬＳを挟んで対向する位置（Ｘ１方向側とＸ２方向側）に、平坦な面状に形成された上側板ばね配置部２ｂが形成されている。筒状部２ａの下端部には、筒状部２ａの外周面に対して直交する方向へ突出した下側鍔部２ｃが、筒状部２ａのほぼ全周に亘って設けられている。また、下側鍔部２ｃの一部には、下側鍔部２ｃよりもさらに外方へ突出する突出部２ｅが形成されている。突出部２ｅはベース部材８の規制凹部８ｋに挿入可能な大きさであり、第１実施形態においてはＹ１方向側に設けられている。また、筒状部２ａの上端側には、筒状部２ａの外周面に対して直交する方向へ突出した上側鍔部２ｄが、下側鍔部２ｃから離間するとともに筒状部２ａのほぼ全周に亘って設けられている。上側鍔部２ｄの一部には、図１１に示すように、検出用磁石５を挿入可能な凹形状に形成された磁石保持部２ｆが設けられ、光軸ＬＳを挟んで磁石保持部２ｆに対向する位置には、バランサー７を挿入可能な凹形状に形成されたバランサー保持部２ｇが設けられている。なお、第１実施形態においては、磁石保持部２ｆは、上側鍔部２ｄの、Ｘ２方向側で且つＹ２方向側の位置に形成され、バランサー保持部２ｇはＸ１方向側で且つＹ１方向側の位置に形成されている。また、図１０に示すように、筒状部２ａの下側鍔部２ｃと上側鍔部２ｄとに挟まれた部分はコイル保持部２ｈとなる。また、下側鍔部２ｃの下面には、図１１に示すように、光軸ＬＳを挟んで対向する位置に下側板ばね保持部２ｋが設けられている。第１実施形態においては、下側板ばね保持部２ｋはＹ１方向側とＹ２方向側とに設けられており、下側鍔部２ｃの下面から下方へ突出するとともに筒状部２ａの開口に沿うように延設され、突出先端側は平坦面に形成されている。また、下側板ばね保持部２ｋの両端部には、下側板ばね保持部２ｋよりも下方へ突出し円柱状に形成された下側板ばね保持突起２ｍが設けられている。また、下側鍔部２ｃの下面の、下側板ばね保持部２ｋ同士を結ぶ直線に対して直交する方向側には、図１０および図１１に示すように、それぞれ下側鍔部２ｃの下面から下方へ突出し、直方体状に形成されたコイル巻付部２ｎが設けられている。
【００４０】
なお、第１実施形態においては、図１２に示すように、コイル４はレンズ保持部材２のコイル保持部２ｈ（図１０参照）に巻回されて巻回部４ａを形成するとともに保持され、端部４ｂは、図１３に示すように、コイル巻付部２ｎに巻回することで固定される。また、検出用磁石５はコイル４よりも外側となるようにレンズ保持部材２の磁石保持部２ｆに挿入され、接着剤により固定される。また、バランサー７はコイル４よりも外側となるようにレンズ保持部材２のバランサー保持部２ｇに挿入され、接着剤により固定される。このようにしてレンズ保持部材２、コイル４、検出用磁石５、バランサー７は一体に形成される。また、このように形成されることで、レンズ保持部材２において、光軸ＬＳを挟んで対向する位置の一方側には検出用磁石５が配置されるとともに他方側にはバランサー７が配置される。なお、コイル４の重量と検出用磁石５の重量とバランサー７の重量とを合計した重量は、複数（第１実施形態においては２個）の駆動用磁石３の重量を合計した重量よりも軽い。
【００４１】
付勢部材６０は、図１４に示すように、上側板ばね１０と下側板ばね１１とからなり、上側板ばね１０および下側板ばね１１はそれぞれ弾性を有している。上側板ばね１０及び下側板ばね１１の少なくとも一方の板ばね６０ａは、第１部分６０ｂと、第２部分６０ｃと、第１部分６０ｂと第２部分６０ｃとの間に設けられた弾性腕部６０ｄとを有する。なお、一方の板ばね６０ａの概要について説明すると、弾性腕部６０ｄは、第１部分６０ｂと第２部分６０ｃとの間に複数設けられており、第１実施形態においては、４箇所に設けられている。一方の板ばね６０ａは、弾性腕部６０ｄの途中から延在する延在部６０ｅを有しており、延在部６０ｅは、隣り合う弾性腕部６０ｄ同士を連結した連結部６０ｆからなる。なお、弾性腕部６０ｄは、少なくとも一つの屈曲部６０ｇを有し、隣り合う弾性腕部６０ｄの屈曲部６０ｇ同士が連結部６０ｆによって連結されている。また、連結部６０ｆは、連結部６０ｆにおける他の部分よりも幅広に形成された幅広部６０ｈを有するとともに、幅広部６０ｈには貫通孔６０ｋが形成されている。なお、第１実施形態においては、一方の板ばね６０ａが上側板ばね１０である。以下に、上側板ばね１０について説明することで、一方の板ばね６０ａの詳細について説明する。
【００４２】
上側板ばね１０は金属板からなり、図１５に示すように、円弧状の平板に形成された上側第１部分１０ａを有している。なお、上側第１部分１０ａは前述の一方の板ばね６０ａの第１部分６０ｂに相当する部位である。上側第１部分１０ａは、上側第１部分１０ａのなす円弧の中心を挟んで対向する位置（Ｘ１方向側とＸ２方向側）に、一対配置されている。なお、上側第１部分１０ａのなす円弧の中心をとおり、上側第１部分１０ａに直交する直線は光軸ＬＳと一致する。また、上側板ばね１０は、上方（Ｚ１方向側）から平面視したときに、四角形の環状に形成され、上側第１部分１０ａの周囲を囲うように配置された上側第２部分１０ｂを有している。上側第２部分１０ｂは前述の一方の板ばね６０ａの第２部分６０ｃに相当する部位である。また、上側板ばね１０は上側第１部分１０ａと上側第２部分１０ｂとの間に設けられた上側弾性腕部１０ｃを有している。上側弾性腕部１０ｃは上側第１部分１０ａと上側第２部分１０ｂとの間に複数設けられており、第１実施形態においては、上側第１部分１０ａの両端部からそれぞれ延設され、個々の上側第１部分１０ａの端部から最も近い位置に配置された上側第２部分１０ｂの四隅部に連結され、合計４箇所に設けられている。上側弾性腕部１０ｃは、上側第１部分１０ａの一端部から延設された上側第１腕１０ｄを有している。上側第１腕１０ｄは、上側第１部分１０ａの成す円弧に沿うように上側第１部分１０ａから離れる方向へ延設され、上側第１屈曲部１０ｅの一端に接続されている。上側第１屈曲部１０ｅは半円の円弧状に形成され光軸ＬＳから離れる方向へ屈曲するように設けられている。なお、上側第１屈曲部１０ｅは前述の屈曲部６０ｇに相当する部位の一つである。上側第１屈曲部１０ｅの他端からは、上側第１腕１０ｄに対して並列となるように上側第２腕１０ｆが延設され、半円の円弧状に形成された上側第２屈曲部１０ｇの一端に接続されている。上側第２屈曲部１０ｇは、上側第１屈曲部１０ｅと同様に、前述の屈曲部６０ｇに相当する部位の一つである。上側第２屈曲部１０ｇの他端からは、上側第２腕１０ｆに対して並列となるように上側第３腕１０ｈが延設され、上側第２部分１０ｂの四隅部のひとつに連結されている。また、上側板ばね１０は、上側弾性腕部１０ｃの途中に設けられた上側第１屈曲部１０ｅから、隣り合う上側弾性腕部１０ｃへ向って延在する上側延在部１０ｋを有している。上側延在部１０ｋは前述の延在部６０ｅに相当する部位である。なお、隣り合う上側弾性腕部１０ｃとは、ある上側弾性腕部１０ｃを基準とした場合、異なる上側第１部分１０ａから延設された上側弾性腕部１０ｃであり、且つより近い側に設けられた上側弾性腕部１０ｃである。また、上側板ばね１０は、隣り合う上側弾性腕部１０ｃの上側第１屈曲部１０ｅ同士を連結した上側連結部１０ｍを有し、上側延在部１０ｋは上側連結部１０ｍからなる。なお、上側連結部１０ｍは前述の連結部６０ｆに相当する部位である。また、上側連結部１０ｍは、上側連結部１０ｍにおける他の部分よりも幅広に形成された上側幅広部１０ｎを２箇所ずつ有するとともに、上側幅広部１０ｎにはそれぞれ上側貫通孔１０ｐが形成されている。なお、上側幅広部１０ｎは前述の幅広部６０ｈに相当する部位であり、上側貫通孔１０ｐは貫通孔６０ｋに相当する部位である。このように形成された上側板ばね１０は、上側第２部分１０ｂを固定した場合に、上側弾性腕部１０ｃが撓むことにより上側第１部分１０ａは光軸ＬＳに沿って移動可能である。
【００４３】
下側板ばね１１は、図１６に示すように、金属薄板を板金加工した第１下側板ばね１１ａと第２下側板ばね１１ｂとを並べて配置することで、略長方形の環状に形成されている。なお、第１下側板ばね１１ａと第２下側板ばね１１ｂとは線対称形状に形成されているため、以下の説明においては第１下側板ばね１１ａの説明をもって、第２下側板ばね１１ｂの説明は省略する。第１下側板ばね１１ａは、円弧状（半円状）に形成された下側第１部分１１ｃを有している。なお、ここで、第１下側板ばね１１ａと第２下側板ばね１１ｂの対称軸ＳＳは、Ｚ１方向側から平面視したときに、下側第１部分１１ｃが成す円弧の中心点をとおる。また、光軸ＬＳは下側第１部分１１ｃが成す円弧の中心点をとおり、対称軸ＳＳに直交する。下側第１部分１１ｃは、下側第１部分１１ｃが成す円弧の中点位置付近に、平板状に形成された下側取付部１１ｄが形成されている。また、下側第１部分１１ｃは、下側第１部分１１ｃの両端部に、レンズ保持部材２の下側板ばね保持突起２ｍを挿入可能な貫通孔に形成された第１下側固定孔１１ｅがそれぞれ１個ずつ設けられている。また、第１下側板ばね１１ａは、下側第１部分１１ｃが成す円弧の外側で、かつ下側取付部１１ｄを挟んで対向する位置に配置された下側第２部分１１ｆを有している。下側第２部分１１ｆは直角三角形状に形成され、それぞれ貫通孔である第２下側固定孔１１ｇが１つずつ形成されている。また、一方（Ｙ１方向側）の下側第２部分１１ｆには長方形状の貫通孔である溶接部１１ｈが形成されている。また、第１下側板ばね１１ａは、下側第２部分１１ｆと下側第１部分１１ｃとをつなぐ下側弾性腕部１１ｋを有している。下側弾性腕部１１ｋは、下側第１部分１１ｃの成す円弧に沿うように、下側第１部分１１ｃの両端部から下側取付部１１ｄの方向に向かって延設された下側第１腕１１ｍと、円弧状に形成され一端が下側第１腕１１ｍに連結された下側第１屈曲部１１ｎと、下側第１腕１１ｍと並列となるように下側第１屈曲部１１ｎの他端から延設された下側第２腕１１ｐと、円弧状に形成され一端が下側第２腕１１ｐに連結された下側第２屈曲部１１ｑと、下側第２腕１１ｐと並列となるように下側第２屈曲部１１ｑの他端から延設され下側第２部分１１ｆに連結された下側第３腕１１ｒと、からなる。また、第１下側板ばね１１ａは、下側第１屈曲部１１ｎから延設され、下側取付部１１ｄを挟んで対向して配置された下側第１屈曲部１１ｎ同士を連結する下側連結部１１ｓを有している。下側連結部１１ｓは、下側第１部分１１ｃの成す円弧の外側を通すようにして連結されている。なお、第２下側板ばね１１ｂは第１下側板ばね１１ａに対して対称軸ＳＳを挟んで線対称の形状に形成されている。第１下側板ばね１１ａと第２下側板ばね１１ｂとを、互いの下側第１部分１１ｃの両端同士を対向するように配置することで、下側板ばね１１は外形が長方形の環状に形成される。このように形成された下側板ばね１１は、下側第２部分１１ｆを固定した場合に、下側弾性腕部１１ｋが撓むことにより下側第１部分１１ｃは光軸ＬＳに沿って移動可能である。
【００４４】
ダンパ材１２は紫外線硬化性のゲル状樹脂からなり、第１実施形態においては、スリーボンド製のＴＢ３１６８Ｅを用いている。
【００４５】
次にレンズ駆動装置１００の構造について図１７ないし図２５を用いて説明する。図１７は第１実施形態におけるケース１への上側板ばね１０およびスペーサー１３の固定方法について説明する図であり、図１７（ａ）はケース１、上側板ばね１０、スペーサー１３を示す分解斜視図であり、図１７（ｂ）は上側板ばね１０およびスペーサー１３がケース１に固定された状態を示す斜視図であり、図１７（ｃ）は図１７（ｂ）に記載のＢ部をＺ２方向側から見た状態を拡大して示した拡大図である。図１８は第１実施形態におけるケース１への駆動用磁石３および板状部材９の固定方法について説明する図であり、図１８（ａ）はケース１、駆動用磁石３、板状部材９を示す分解斜視図であり、図１８（ｂ）は駆動用磁石３および板状部材９がケース１に固定された状態を示す斜視図であり、図１８（ｃ）は磁気検出部材６の取付状態を示す斜視図である。図１９は第１実施形態におけるレンズ保持部材２への下側板ばね１１の固定方法について説明する図であり、図１９（ａ）はレンズ保持部材２および下側板ばね１１を示す分解斜視図であり、図１９（ｂ）はレンズ保持部材２に下側板ばね１１が固定された状態を示す斜視図である。図２０は図１９（ｂ）に記載のＣ部を拡大して示す拡大図であり、図２０（ａ）は図１９に記載のＺ２方向側から見た状態のＣ部を示す拡大平面図であり、図２０（ｂ）は図１９に記載のＸ２方向側から見た状態のＣ部を示す拡大側面図である。図２１は第１実施形態におけるベース部材８へのレンズ保持部材２の固定方法について説明する図であり、図２１（ａ）はレンズ保持部材２およびベース部材８を示す分解斜視図であり、図２１（ｂ）は下側板ばね１１を介してレンズ保持部材２がベース部材８に固定された状態を示す斜視図である。図２２は第１実施形態における下側板ばね１１を介して一体に形成されたレンズ保持部材２とベース部材８とを示す図であり、図２２（ａ）は図２１に記載のＺ１方向側から見た状態の一体に形成されたレンズ保持部材２とベース部材８とを示す平面図であり、図２２（ｂ）は図２１に記載のＹ１方向側から見た状態の一体に形成されたレンズ保持部材２とベース部材８とを示す側面図であり、図２２（ｃ）は図２２（ａ）に記載のＤ部を拡大して示す拡大図である。図２３は第１実施形態におけるケース１のベース部材８への固定方法を説明する図であり、図２３（ａ）はケース１とベース部材８とを示す分解斜視図であり、図２３（ｂ）はレンズ駆動装置１００の外観を示す斜視図である。図２４はダンパ材１２の配置構成について説明する図であり、図２４（ａ）は図２３（ｂ）に記載のＺ１方向側から見た状態のレンズ駆動装置１００を示す平面図であり、図２４（ｂ）は図２４（ａ）に記載のＥ部を拡大して示す拡大図である。図２５は第１実施形態におけるレンズ駆動装置１００の内部構造を示す模式図であり、図２５（ａ）は図２３（ｂ）に記載のＺ１方向側から見た状態のレンズ駆動装置１００の内部構造を示す模式図であり、図２５（ｂ）は図２３（ｂ）に記載のＸ２方向側から見た状態のレンズ駆動装置１００の内部構造を示す模式図である。なお、図２５においては説明を容易にするために、上側板ばね１０およびスペーサー１３などの一部の構成部品は記載していない。
【００４６】
スペーサー１３は、図１７に示すように、ケース１の内部に位置決め突起１３ａがケース１の開放された側（Ｚ２方向側）に突出するとともに、天面部１ｅに接触するように配置され、接着剤によりケース１に固定される。また、上側板ばね１０は、上側第２部分１０ｂの四隅部の内側がスペーサー１３の位置決め突起１３ａと係合するようにケース１の内部に配置され、接着剤によりスペーサー１３に固定される。
【００４７】
板状部材９は、図１８に示すように、ケース１の突出部１ｃと係合部９ｃとが係合するとともに、外部端子９ａをケース１の外方へ露出させた状態で、側壁部１ｂの内面に沿うように筺体４０（ケース１）内に配設されており、板状部材９の他面がケース１の側壁部１ｂの内面に接着剤によって固定されている。突出部１ｃと係合部９ｃとが係合するように固定されることで、板状部材９はケース１の一方側（Ｘ２方向側）に寄った位置に配設される。なお、このように板状部材９を配設することで、磁気検出部材６は検出面６ａを、ケース１の内方側に向くように配設される。また、一対の駆動用磁石３は、光軸ＬＳを挟んで、筺体４０（ケース１）の対角に位置する一方の一対の角部１ａ（板状部材９が配置されていない一対の角部１ａ）にそれぞれ１つずつ配置され、接着剤により固定される。すなわち、複数の駆動用磁石３は固定側部材５０に固定されている。このとき、駆動用磁石３は、Ｚ２方向側から平面視したときに、駆動用磁石３が成す台形の脚を含む側面が、それぞれ側壁部１ｂの内面に沿うように筺体４０内に配設され、スペーサー１３の位置決め突起１３ａ（図１７参照）に接触している。
【００４８】
レンズ保持部材２は、前述のとおり、コイル４、検出用磁石５、バランサー７を保持し、一体に形成されている。下側板ばね１１は、図１９に示すように、第１下側固定孔１１ｅに、レンズ保持部材２の下側板ばね保持突起２ｍが挿入されたのちに、下側板ばね保持突起２ｍがかしめられることで下側第１部分１１ｃ（第１部分６０ｂ）がレンズ保持部材２の下部（下側板ばね保持部２ｋ、図１１参照）に固定される。また、コイル４の端部４ｂが巻回されたレンズ保持部材２のコイル巻付部２ｎは、図２０に示すように、下側板ばね１１の下側取付部１１ｄの隣に配置され、半田ＳＯにより下側取付部１１ｄとコイル４とは電気的に接続されるとともに、固定される。
【００４９】
下側板ばね１１と一体となったレンズ保持部材２は、図２１に示すように、下側板ばね１１と、ベース部材８の下側板ばね配置部８ｆと、が対向するように、ベース部材８に重ねて配置される。このとき、下側板ばね１１は、図２２に示すように、第２下側固定孔１１ｇに下側板ばね固定突起８ｇが挿入されるとともに、第１接続部８ｓ（図６参照）および第２接続部８ｖ（図６参照）上にそれぞれ溶接部１１ｈが接触するように配置される。このように配置された下側板ばね１１は、下側板ばね固定突起８ｇがかしめられることでベース部材８（固定側部材５０）に下側第２部分１１ｆ（第２部分６０ｃ）が固定される。これにより、下側板ばね１１は下側弾性腕部１１ｋが弾性変形可能な範囲で、レンズ保持部材２を下部で光軸方向ＤＲ１（Ｚ１−Ｚ２方向）へ移動可能に支持する。また、溶接部１１ｈが第１接続部８ｓおよび第２接続部８ｖに溶接ＷＥにより固定され、第１接続部８ｓおよび第２接続部８ｖと溶接部１１ｈ（厳密には、溶接部１１ｈの周囲に位置する下側第２部分１１ｆ）とが電気的に接続される。このように第１接続部８ｓおよび第２接続部８ｖと溶接部１１ｈとが電気的に接続されることで、下側板ばね１１およびコイル４を介して、第１給電端子８ｒと第２給電端子８ｔとは電気的に接続される。また、レンズ保持部材２の突出部２ｅはベース部材８の規制凹部８ｋ（規制壁８ｈ同士の間）に配置され、レンズ保持部材２が、下側板ばね１１の下側弾性腕部１１ｋが弾性変形可能な範囲で光軸方向ＤＲ１に移動した場合にも規制凹部８ｋから外れない。
【００５０】
駆動用磁石３、磁気検出部材６、板状部材９、上側板ばね１０、スペーサー１３が一体に形成されたケース１は、図２３に示すように、レンズ保持部材２、コイル４、検出用磁石５、バランサー７、下側板ばね１１が一体に形成されたベース部材８に重ねて配置される。この時、ケース１は、板状部材９を切り欠き部８ｄに立設させた状態で配置するとともに、ケース１とベース部材８とからなる筺体４０の内部にレンズ保持部材２を収容するように、配置される。このように配置されたケース１の角部１ａは、それぞれベース部材８の固定板８ｑ上に配置され、角部１ａと固定板８ｑとは溶接により固定され、ケース１は固定板８ｑを介して接地用端子８ｂに接続され、接地可能となる。また、このとき、上側板ばね１０の上側第１部分１０ａ（図１５参照）はレンズ保持部材２の上側板ばね配置部２ｂ（図１０参照）に接触するように配置されるとともに、レンズ保持部材２を上部で支持するように上側第１部分１０ａ（第１部分６０ｂ）は上側板ばね配置部２ｂと接着剤により固定される。これにより、上側板ばね１０と下側板ばね１１とからなる付勢部材６０は、レンズ保持部材２を光軸方向ＤＲ１へ移動可能に支持する。また、ペースト状のダンパ材１２が、図２４に示すように、ケース１の開口部１ｄから露出して、上側延在部１０ｋ（延在部６０ｅ、上側連結部１０ｍ）とレンズ保持部材２及び、上側延在部１０ｋ（延在部６０ｅ、上側連結部１０ｍ）と上側第２部分１０ｂ（第２部分６０ｃ）との間をつなぐように塗布されて設けられる。また、上側延在部１０ｋとレンズ保持部材２との間をつなぐダンパ材１２および、上側延在部１０ｋと上側第２部分１０ｂとの間をつなぐダンパ材１２の一部が上側幅広部１０ｎ（幅広部６０ｈ）に載置された状態で連続して設けられている。なお、上側幅広部１０ｎに載置された状態で連続して設けられたダンパ材１２は、上側幅広部１０ｎに設けられた上側貫通孔１０ｐ（貫通孔６０ｋ、図１５参照）の内部に一部が侵入するように設けられている。ケース１の開口部１ｄから露出しているペースト状のダンパ材１２にケース１の開口部１ｄから紫外線を照射することで、ダンパ材１２はゲル状に変化する。なお、ダンパ材１２は、対を成すように、レンズ保持部材２の中央部を挟んで対向する位置に設けられている。このようにしてレンズ駆動装置１００が形成される。
【００５１】
なお、このように形成されたレンズ駆動装置１００は、図２３に示すように、ケース１とベース部材８とからなる筺体４０および筺体４０とスペーサー１３（図３参照）とからなる固定側部材５０が形成される。また、ベース部材８の側端部８ｃ側には、側端部８ｃの一方側（Ｘ２方向側）に外部端子９ａ、他方側（Ｘ１方向側）に給電用端子８ａと接地用端子８ｂが位置し、給電用端子８ａと接地用端子８ｂと外部端子９ａとが等間隔で一列に並んで配置される。
【００５２】
また、筺体４０の内部に配置された駆動用磁石３は、前述のとおり、光軸ＬＳを挟んで、筺体４０（ケース１）の対角に位置する一方の一対の角部１ａにそれぞれ１つずつ配置されるとともに、図２５に示すように、コイル４に対向する位置に離間して配置されており、第１実施形態においては、駆動用磁石３及びコイル４を有して駆動機構７０が構成される。駆動機構７０はコイル４に電流を流すことで発生する電磁力により、コイル４が外周に巻回されたレンズ保持部材２を光軸方向ＤＲ１に沿って移動させることができる。
【００５３】
また、検出用磁石５およびバランサー７は、前述のとおり、レンズ保持部材２において、光軸ＬＳを挟んで対向する位置の一方側には検出用磁石５が配置されるとともに他方側にはバランサー７が配置され、筺体４０（ケース１）の対角に位置する他方の一対の角部１ａ（駆動用磁石３が配置されていない角部１ａ）にそれぞれ対応する位置に配置されている。なお、角部１ａに対応する位置とは、角部１ａに対向する位置である。
【００５４】
また、磁気検出部材６が搭載された板状部材９はレンズ保持部材２の側方（Ｙ２方向側）で立設するように配設され、板状部材９に搭載された磁気検出部材６はレンズ保持部材２の側方（Ｙ２方向側）に配置されるとともに、レンズ保持部材２に固定された検出用磁石５に対向して設けられている。このように配設された検出用磁石５と磁気検出部材６とを有して位置検出手段８０が構成される。位置検出手段８０は、レンズ保持部材２と一体に光軸方向ＤＲ１（Ｚ１−Ｚ２方向）に沿って移動可能な検出用磁石５が発する磁界を磁気検出部材６が検知し、検出用磁石５の光軸方向ＤＲ１に沿った移動にともなって磁気検出部材６が検知する磁界の変化から算出して、レンズ保持部材２の光軸方向ＤＲ１における位置を検出することができる。
【００５５】
次にレンズ駆動装置１００の動作について説明する。レンズ駆動装置１００は、給電用端子８ａから電力を供給することで、コイル４に電流を流すことができる。また、コイル４に流す電流の向きは外部に設けられた制御部により切り替えることができる。コイル４に通電されていない状態を初期状態とすると、初期状態のレンズ駆動装置１００においては、レンズ保持部材２は、上側板ばね１０の弾性力と下側板ばね１１の弾性力とがつりあった位置に配置されている。第１給電端子８ｒおよび第２給電端子８ｔを介してコイル４に電流を通電すると、コイル４は駆動用磁石３が発生する磁界の中に配置されているため、コイル４にはローレンツ力が働く。コイル４はレンズ保持部材２の筒状部２ａの外周に沿うように巻回されているため、筒状部２ａの外周に沿うように電流は流れる。また、駆動用磁石３が発生する磁界はコイル４に交差するように形成されるため、ローレンツ力は光軸方向ＤＲ１のいずれかの方向、すなわち図２３に記載のＺ１方向またはＺ２方向に働く。そのため、駆動機構７０はコイル４と一体に形成されたレンズ保持部材２を付勢部材６０の弾性力に抗して光軸方向ＤＲ１に沿って移動させることができる。また、コイル４に流す電流の向きを逆にすることで、レンズ保持部材２の移動方向をかえることもできる。したがって、レンズ体ＬＥ（図１０参照）が取り付けられたレンズ保持部材２を光軸方向ＤＲ１に沿って移動させることで、撮影画像の焦点を合わせることができる。また、光軸方向ＤＲ１におけるレンズ保持部材２の位置を、検出用磁石５が発生する磁界の変化を磁気検出部材６で検知することで、位置検出手段８０で検出することができる。位置検出手段８０で検出したレンズ保持部材２の位置情報は外部に設けられた制御部にフィードバックされる。例えば、初期状態からＺ１方向へ所定距離だけ離れた所定の箇所に移動させようとして、レンズ保持部材２を所定の箇所よりもさらにＺ１方向側へ移動したことを位置検出手段８０で検出した場合には、位置検出手段８０からフィードバックを受けた制御部は、コイル４の流す電流の向きを逆方向に切り替え、レンズ保持部材２を所定の箇所へ戻す方向のローレンツ力を積極的にレンズ保持部材２に加えることができる。
【００５６】
以下、第１実施形態としたことによる効果について説明する。
【００５７】
第１実施形態におけるレンズ駆動装置１００は、筺体４０と、筺体４０に収容されると共に、レンズ体ＬＥを保持可能な筒状のレンズ保持部材２と、レンズ保持部材２を光軸方向ＤＲ１へ移動可能に支持する付勢部材６０と、レンズ保持部材２を光軸方向ＤＲ１に沿って移動させる駆動用磁石３およびコイル４を有して構成される駆動機構７０と、を備えたレンズ駆動装置において、レンズ保持部材２の光軸方向ＤＲ１における位置を検出する位置検出手段８０を有し、位置検出手段８０は、レンズ保持部材２に固定された検出用磁石５と検出用磁石５に対向して設けられた磁気検出部材６とを有して構成され、磁気検出部材６が実装されると共に磁気検出部材６に導通する複数の導電部材９ｂが設けられた板状部材９が、レンズ保持部材２の側方で立設するように配設されている、ことを特徴とする。
【００５８】
これにより、レンズ保持部材２の光軸方向ＤＲ１における位置を検出する位置検出手段８０を設けることで、レンズ保持部材２の位置を補正しながらレンズ保持部材２を画像のピントが合う位置等の所定の位置まで移動させることができる。よって、レンズ保持部材２の位置が定まるまでの時間を短縮することができる。また、磁気検出部材６は、板状部材９によって、容易に検出用磁石５と対向させて配置できると共に、板状部材９は、レンズ保持部材２の側方に配設されたものであるため、磁気検出部材６や板状部材９を、レンズ保持部材２の下方側に配置する場合に比べて、レンズ駆動装置の高さ寸法（光軸方向ＤＲ１における寸法）が大きくなるのを抑制することができる。
【００５９】
また、第１実施形態におけるレンズ駆動装置１００は、筺体４０は、側壁部１ｂを有するケース１と、ケース１に一体化されるベース部材８と、を有し、導電部材９ｂは、板状部材９に埋設された金属部材からなると共に、一部が板状部材９から露出して外部端子９ａを構成している、ことを特徴とする。
【００６０】
これにより、導電部材９ｂが、板状部材９に埋設された金属部材からなると共に、一部が板状部材９から突出して外部端子９ａを構成しているので、磁気検出部材６と、レンズ駆動装置が実装される基板等の配線パターンとを、コネクタやリード線等を用いることなく、外部端子９ａを介して容易に電気的に接続することができる。
【００６１】
また、第１実施形態におけるレンズ駆動装置１００は、ベース部材８には、コイル４に通電するための複数の給電用端子８ａが設けられており、外部端子９ａと給電用端子８ａとが一列に並んでいる、ことを特徴とする。
【００６２】
これにより、外部端子９ａと給電用端子８ａとが一列に並んでいるので、レンズ駆動装置が実装される実装基板等の配線パターンのレイアウトが容易となる。
【００６３】
また、第１実施形態におけるレンズ駆動装置１００は、ケース１は金属板で形成されると共に、ベース部材８には、ケース１を接地するための接地用端子８ｂが設けられており、外部端子９ａ、給電用端子８ａ及び接地用端子８ｂが一列に並んでいる、ことを特徴とする。
【００６４】
これにより、レンズ駆動装置が実装される実装基板等の配線パターンのレイアウトが、より容易となる。また、外部端子９ａ、給電用端子８ａ及び接地用端子８ｂを一列に並べた場合には、これらの端子が存在しない部分には、実装基板を設ける必要がないことから、実装基板を小型化することも可能となる。
【００６５】
また、第１実施形態におけるレンズ駆動装置１００は、ベース部材８の側端部８ｃには、板状部材９を立設させた状態で配置可能な切り欠き部８ｄが形成されており、側端部８ｃにおける切り欠き部８ｄが設けられていない部分に給電用端子８ａが配置されている、ことを特徴とする。
【００６６】
これにより、外部端子９ａと給電用端子８ａとを容易に一列に並べることができる。
【００６７】
また、第１実施形態におけるレンズ駆動装置１００は、板状部材９の一面側に磁気検出部材６が固定されていると共に、板状部材９の他面がケース１の側壁部１ｂの内面に接着剤によって固定されている、ことを特徴とする。
【００６８】
これにより、広い面積で接着できるので、板状部材９を確実に立設した状態に保つことができる。
【００６９】
また、第１実施形態におけるレンズ駆動装置１００は、板状部材９の他面側には、溝状に形成された係合部９ｃが設けられていると共に、ケース１の側壁部１ｂには、下方へ突出する突出部１ｃが形成されており、突出部１ｃと係合部９ｃとが係合する、ことを特徴とする。
【００７０】
これにより、係合部９ｃに突出部１ｃが挿入されるという簡単な構成で、ケース１の位置決めを行うことができる。
【００７１】
また、第１実施形態におけるレンズ駆動装置１００は、筺体４０を含む固定側部材５０と、筺体４０に収容されると共に、レンズ体ＬＥを保持可能な筒状のレンズ保持部材２と、レンズ保持部材２を光軸方向ＤＲ１へ移動可能に支持する付勢部材６０と、レンズ保持部材２を光軸方向ＤＲ１に沿って移動させる駆動用磁石３およびコイル４を有して構成される駆動機構７０と、を備えたレンズ駆動装置において、レンズ保持部材２の光軸方向ＤＲ１における位置を検出する位置検出手段８０を有し、位置検出手段８０は、レンズ保持部材２に固定された検出用磁石５と検出用磁石５に対向して設けられた磁気検出部材６とを有して構成され、コイル４はレンズ保持部材２の外周に巻回されると共に、複数の駆動用磁石３は固定側部材５０に固定されている、ことを特徴とする。
【００７２】
これにより、レンズ保持部材２の光軸方向ＤＲ１における位置を検出する位置検出手段８０を設けることで、レンズ保持部材２の位置を補正しながらレンズ保持部材２を画像のピントが合う位置等の所定の位置まで移動させることができる。したがって、レンズ保持部材２の位置が定まるまでの時間を短縮することができ、オートフォーカスの高速化に対応可能なレンズ駆動装置を提供することができる。
【００７３】
また、検出用磁石５は磁気検出部材６によって検出可能な磁界を発生させることができる程度の大きさであればよいため、極力小さく軽い磁石としてすることができるため、レンズ保持部材２に加わる重量を抑えることができる。そのため、移動中のレンズ保持部材２の位置を補正しやすい。また、レンズ保持部材２に加わる重量を抑えることができるので、レンズ保持部材２を駆動させるためにコイル４に流す電流が少なくてすむ。すなわち、レンズ保持部材２を駆動させるために必要な電力が少なく、省電力化に対応可能なレンズ駆動装置を提供することができる。
【００７４】
また、第１実施形態におけるレンズ駆動装置１００は、レンズ保持部材２において、光軸ＬＳを挟んで対向する位置の一方側には検出用磁石５が配置されるとともに他方側にはバランサー７が配置され、バランサー７は検出用磁石５と同じ重量である、ことを特徴とする。
【００７５】
これにより、レンズ保持部材２の、光軸ＬＳを挟んで対向する位置の一方側に検出用磁石５を配置するとともに、他方側に検出用磁石５と同じ重量のバランサー７を配置することで、光軸ＬＳを挟んだ両側の重量バランスをとることができる。そのため、レンズ保持部材２の姿勢が安定し、移動時や移動方向を変える場合などに、レンズ保持部材２が傾きにくくなる。したがって、より確実にオートフォーカスの高速化に対応可能なレンズ駆動装置を提供することができる。
【００７６】
また、第１実施形態におけるレンズ駆動装置１００は、コイル４の重量と検出用磁石５の重量とバランサー７の重量とを合計した重量は、複数の駆動用磁石３の重量を合計した重量よりも軽い、ことを特徴とする。
【００７７】
これにより、駆動用磁石３をレンズ保持部材２に搭載した構成にした場合に比べて、レンズ保持部材２に加わる重量を軽くすることができる。したがって、レンズ保持部材２を駆動させるために必要な電力を小さくして、省電力化を図りやすくすることが可能となる。
【００７８】
また、第１実施形態におけるレンズ駆動装置１００は、筺体４０は、直方体状に形成され、駆動用磁石３は、光軸ＬＳを挟んで、筺体４０の対角に位置する一方の一対の角部１ａにそれぞれ１つずつ配置され、レンズ保持部材２は、筺体４０の他方の一対の角部１ａに対応する位置における一方側に検出用磁石５を保持するとともに、他方の一対の角部１ａに対応する位置における他方側にバランサー７を保持している、ことを特徴とする。
【００７９】
これにより、筺体４０を直方体状に形成したため、筺体４０内部の角部１ａ付近にはスペースができやすい。このようなスペースに構成部品を配置することで、限られたスペース内に構成部品を効率的に配置することができるため、レンズ駆動装置の大型化を抑制することができる。
【００８０】
また、第１実施形態におけるレンズ駆動装置１００は、バランサー７は、検出用磁石５と同じ形状に形成されるとともに、検出用磁石５と同様に着磁された磁石からなる、ことを特徴とする。
【００８１】
これにより、検出用磁石５と駆動用磁石３とは、相互に磁気的に影響を与え合っている。バランサー７を検出用磁石５と同様とすることで、光軸ＬＳを挟んだ両側の重量バランスをとることができるとともに、磁気的なバランスをとることができる。そのため、レンズ保持部材２の姿勢がさらに安定し、移動時や移動方向を変える場合などに、レンズ保持部材２がさらに傾きにくくなる。したがって、さらに確実にオートフォーカスの高速化に対応可能なレンズ駆動装置を提供することができる。
【００８２】
また、第１実施形態におけるレンズ駆動装置１００は、磁気検出部材６は、レンズ保持部材２の側方に配置されている、ことを特徴とする。
【００８３】
これにより、磁気検出部材６をレンズ保持部材２の側方に配置する構成とすることで高さ寸法を小さくすることができる。また、携帯機器においては、薄型化、低背化が求められている機器がある。したがって、薄型で、かつオートフォーカスの高速化に対応可能なレンズ駆動装置を提供することができる。
【００８４】
また、第１実施形態におけるレンズ駆動装置１００は、筺体４０は、側壁部１ｂを有するケース１と、ケース１に一体化されるとともにコイル４に通電するための給電用端子８ａが設けられたベース部材８と、を有し、磁気検出部材６が搭載されるとともに磁気検出部材６に電気的に接続された複数の外部端子９ａを有する板状部材９が、外部端子９ａをケース１の外方へ露出させた状態で、側壁部１ｂの内面に沿うように筺体４０内に配設されており、給電用端子８ａと外部端子９ａとが一列に並んで配置されている、ことを特徴とする。
【００８５】
これにより、磁気検出部材６を搭載した板状部材９を筺体４０に配置することで、容易にレンズ保持部材２の側方に磁気検出部材を配置することができる。また、給電用端子８ａと外部端子９ａとが一列に並んでいるので、レンズ駆動装置が実装される実装基板等のレイアウトが容易となる。したがって、構成が簡易で実装が容易なレンズ駆動装置を提供することができる。
【００８６】
また、第１実施形態におけるレンズ駆動装置１００は、付勢部材６０は、レンズ保持部材２を上部で支持する上側板ばね１０と、レンズ保持部材２を下部で支持する下側板ばね１１と、からなり、上側板ばね１０および下側板ばね１１はそれぞれ弾性を有し、コイル４に通電されていないときには、レンズ保持部材２は、上側板ばね１０の弾性力と下側板ばね１１の弾性力とがつりあった位置に配置されている、ことを特徴とする。
【００８７】
これにより、コイル４に通電されていないときに、レンズ保持部材２は、上側板ばね１０と下側ばねとがつりあった中立位置にあるので、レンズ保持部材２が光軸方向ＤＲ１の下方側へ付勢させている場合には、板ばねの付勢力に抗してレンズ保持部材２を持ち上げる必要があるが、その必要はないことから、停止した状態からレンズ持部材を駆動させるときに必要な電力が小さくて済み、省電力のレンズ駆動装置を提供することができる。
【００８８】
また、第１実施形態におけるレンズ駆動装置１００は、レンズ保持部材２の突出部２ｅがベース部材８の規制凹部８ｋ内に配置され、突出部２ｅは規制凹部８ｋに案内されるように光軸方向ＤＲ１に沿って移動する構成とした。これにより、レンズ体ＬＥの取付時や、誤ってレンズ駆動装置１００を落下させてしまった場合に、レンズ保持部材２が回転し、付勢部材６０が変形、破損することを防止することができる。
【００８９】
また、第１実施形態におけるレンズ駆動装置１００は、レンズ体ＬＥを保持可能な筒状のレンズ保持部材２と、レンズ保持部材２を光軸方向ＤＲ１へ移動可能に支持する付勢部材６０と、付勢部材６０の一部を固定する固定側部材５０と、レンズ保持部材２を光軸方向ＤＲ１に沿って移動させる少なくとも駆動用磁石３及びコイル４を有して構成される駆動機構７０と、を備え、付勢部材６０は、レンズ保持部材２の上部に固定される上側板ばね１０と、下部に固定される下側板ばね１１と、からなり、上側板ばね１０及び下側板ばね１１の少なくとも一方の板ばね６０ａは、レンズ保持部材２に固定される第１部分６０ｂと、固定側部材５０に固定される第２部分６０ｃと、第１部分６０ｂと第２部分６０ｃとの間に設けられた弾性腕部６０ｄとを有するレンズ駆動装置において、一方の板ばね６０ａは、弾性腕部６０ｄの途中から延在する延在部６０ｅを有しており、延在部６０ｅとレンズ保持部材２または第１部分６０ｂとの間、及び、延在部６０ｅと固定側部材５０または第２部分６０ｃとの間の、少なくとも一方の間をつなぐようにダンパ材１２が設けられている、ことを特徴とする。
【００９０】
これにより、ダンパ材１２が板ばねの延在部６０ｅとレンズ保持部材２または板ばね６０ａ（付勢部材６０）の第１部分６０ｂとの間、及び延在部６０ｅと固定側部材５０または第２部分６０ｃとの間の、少なくとも一方の間に設けられているので、コイル４に通電して、レンズ保持部材２が光軸方向ＤＲ１へ移動した際に、移動し過ぎるのを抑制できるため、所定の位置に落ち着くまでの時間を短くすることができる。また、レンズ保持部材２が光軸方向ＤＲ１へ移動したときに、板ばね６０ａの第１部分６０ｂと第２部分６０ｃとの間に設けられた弾性腕部６０ｄの途中部分も、レンズ保持部材２と同じ方向へある程度移動するものとなる。このため、ダンパ材１２を、板ばね６０ａの弾性腕部６０ｄの途中から延在する延在部６０ｅとレンズ保持部材２または板ばね６０ａの第１部分６０ｂとの間に設けた場合には、レンズ保持部材２の移動に伴ってダンパ材１２が大きく変形するのを抑制できるので、ダンパ材１２の破断や脱落などの破損が発生しにくいものとすることが可能となる。同様に、ダンパ材１２を、板ばね６０ａの弾性腕部６０ｄの延在部６０ｅと固定側部材５０または板ばね６０ａの第２部分６０ｃとの間に設けた場合においても、レンズ保持部材２の移動に伴ってダンパ材１２が大きく変形するのを抑制できるので、ダンパ材１２の破損が発生しにくいものとすることが可能となる。また、レンズ保持部材２の移動を位置検出手段８０により制御しているが、レンズ保持部材２が移動させたい所定の位置を通り越した場合には、ダンパ材１２は所定の位置へレンズ保持部材２を戻す方向の弾性力を発生する。また、不所望な振動が発生した場合には、ダンパ材１２はその振動を抑える効果がある。また、ダンパ材１２は、板ばね６０ａの弾性腕部６０ｄの途中とレンズ保持部材２または板ばねの第１部分６０ｂとの間、および延在部６０ｅと固定側部材５０または第２部分６０ｃとの間に設けられているので、ゲル状の樹脂でダンパ材１２を構成した場合でも、レンズ保持部材２の光軸方向ＤＲ１への移動に伴って弾性腕部６０ｄの途中部分も同じ方向へある程度、移動するため、ゲル状のダンパ材１２が切れにくく、ダンパ機能を確保することが可能となる。
【００９１】
また、第１実施形態におけるレンズ駆動装置１００は、弾性腕部６０ｄは、第１部分６０ｂと第２部分６０ｃとの間に複数設けられており、延在部６０ｅは、隣り合う弾性腕部６０ｄ同士を連結した連結部６０ｆからなる、ことを特徴とする。
【００９２】
これにより、延在部６０ｅを隣り合う弾性腕部６０ｄ同士を連結する連結部６０ｆとしたので、ダンパ材１２を設けることができる領域が広くなり、ダンパ材１２を設けやすくなる。また、弾性腕部６０ｄ同士を連結しているので、隣り合う弾性腕部６０ｄ同士で支え合い、レンズ保持部材２の光軸方向ＤＲ１と交差する方向（水平方向）における剛性を高めることができ、レンズ保持部材２の姿勢を安定させることができる。
【００９３】
また、第１実施形態におけるレンズ駆動装置１００は、ダンパ材１２が紫外線硬化性のゲル状樹脂からなるため、塗布が容易である。
【００９４】
また、第１実施形態におけるレンズ駆動装置１００は、弾性腕部６０ｄは、少なくとも一つの屈曲部６０ｇを有し、隣り合う弾性腕部６０ｄの屈曲部６０ｇ同士が連結部６０ｆによって連結されている、ことを特徴とする。
【００９５】
これにより、光軸方向ＤＲ１への変形量が少ない屈曲部６０ｇが連結部６０ｆに繋がっており、連結部６０ｆが弾性腕部６０ｄの光軸方向ＤＲ１への動きを制限することが少ないため、付勢部材６０としての機能を確保できる。また、光軸方向ＤＲ１への変形量が少ない屈曲部６０ｇ同士を連結部６０ｆで連結しているので、隣り合う屈曲部６０ｇの光軸方向ＤＲ１における位置に差が出にくく、レンズ保持部材２が傾きにくい。
【００９６】
また、第１実施形態におけるレンズ駆動装置１００は、一方の板ばね６０ａが上側板ばね１０である、ことを特徴とする。
【００９７】
これにより、一方の板ばね６０ａがレンズ保持部材２で隠れないので、組み込んだ後でもダンパ材１２を設けることが可能となる。
【００９８】
また、第１実施形態におけるレンズ駆動装置１００は、レンズ保持部材２は、開口部１ｄを有するケース１に収容され、ダンパ材１２が紫外線硬化性のゲル状樹脂からなると共に、ケース１の開口部１ｄから露出している、ことを特徴とする。
【００９９】
これにより、組立後に、開口部１ｄからダンパ材１２（ゲル状樹脂）の塗布が可能であるとともに、ダンパ材１２に紫外線を照射可能であり、組み立てが容易になる。
【０１００】
また、第１実施形態におけるレンズ駆動装置１００は、連結部６０ｆとレンズ保持部材２または第１部分６０ｂとの間をつなぐようにダンパ材１２が設けられているとともに、連結部６０ｆと固定側部材５０または第２部分６０ｃとの間をつなぐようにダンパ材１２が設けられている、ことを特徴とする。
【０１０１】
これにより、連結部６０ｆとレンズ保持部材２または板ばね（付勢部材６０）の第１部分６０ｂとの間、及び、連結部６０ｆと固定側部材５０または第２部分６０ｃとの間の両方にダンパ材１２を設けることで、コイル４に通電して、レンズ保持部材２が所定の位置に落ち着くまでの時間をより短くすることができる。
【０１０２】
また、第１実施形態におけるレンズ駆動装置１００は、連結部６０ｆは、連結部６０ｆにおける他の部分よりも幅広に形成された幅広部６０ｈを有するとともに、幅広部６０ｈには貫通孔６０ｋが形成されており、連結部６０ｆとレンズ保持部材２または第１部分６０ｂとの間に設けられたダンパ材１２と、連結部６０ｆと固定側部材５０または第２部分６０ｃとの間に設けられたダンパ材１２とが、一部が幅広部６０ｈに載置された状態で連続して設けられている、ことを特徴とする。
【０１０３】
これにより、同じ工程で、両方のダンパ材１２を設けることができるので、作業性が良い。また、ダンパ材１２は、貫通孔６０ｋが形成された幅広部６０ｈに設けられているので、ダンパ材１２と連結部６０ｆとの接触面積を増やすことができ、確実にダンパ材１２を必要部分に保持することができる。
【０１０４】
また、第１実施形態におけるレンズ駆動装置１００は、ダンパ材１２は、対を成すように、レンズ保持部材２の中央部を挟んで対向する位置に設けられている、ことを特徴とする。
【０１０５】
これにより、対を成すように、レンズ保持部材２の中央部を挟んで対向する位置にダンパ材１２を設けることで、レンズ保持部材２に対してダンパ材１２をバランスが良く配置することができ、レンズ保持部材２が傾きにくくなる。
【０１０６】
以上のように、本発明の実施形態に係るレンズ駆動装置を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【０１０７】
第１実施形態において、連結部６０ｆとレンズ保持部材２との間をつなぐようにダンパ材１２が設けられているとともに、連結部６０ｆと第２部分６０ｃとの間をつなぐようにダンパ材１２が設けられている構成とした。しかし、延在部６０ｅとレンズ保持部材２または第１部分６０ｂとの間、及び、延在部６０ｅと固定側部材５０または第２部分６０ｃとの間の、少なくとも一方の間をつなぐようにダンパ材１２が設けられている構成でも良い。例えば、図２６（ａ）に示すように、連結部６０ｆと固定側部材５０（スペーサー１３）との間にのみダンパ材１２が設けられている構成や、図２６（ｂ）に示すように、連結部６０ｆと第１部分６０ｂとの間にのみダンパ材１２が設けられている構成であっても良い。なお、図２６は第１実施形態におけるダンパ材１２の配置構成の変形例を示す図であり、図２６（ａ）は連結部６０ｆと固定側部材５０との間にのみダンパ材１２を設けた変形例を示す模式図であり、図２６（ｂ）は連結部６０ｆと第１部分６０ｂとの間にのみダンパ材１２を設けた変形例を示す模式図である。なお、図２６においては説明を容易にするために、いくつかの構成部品は記載していない。また、図２６（ｂ）に記載の上側板ばね１０は、第１実施形態における上側板ばね１０とは構造が異なるが、部位名および符号は同じものを用いている。
【０１０８】
第１実施形態において、弾性腕部６０ｄの途中から延在する延在部６０ｅを有する一方の板ばね６０ａを上側板ばね１０としたが、下側板ばね１１であっても良く、上側板ばね１０および下側板ばね１１の両方に延在部６０ｅを設ける構造であっても良い。
【０１０９】
第１実施形態において、ケース１は非磁性体の金属板材からなり、駆動機構７０は駆動用磁石３およびコイル４を有して構成されるものとしたが、ケース１を磁性体の金属板材で形成するとともに、駆動機構７０をケース１、駆動用磁石３およびコイル４を有して構成しても良い。
【０１１０】
第１実施形態において、ダンパ材１２を紫外線硬化性のゲル状樹脂で構成したが、紫外線硬化性でなくても良い。
【０１１１】
第１実施形態において、ダンパ材１２を設ける構成としたが、ダンパ材１２を用いない構成としても良い。
【０１１２】
第１実施形態において、上側板ばね１０の固定側部材５０およびレンズ保持部材２への固定は接着で行う構造としたが、かしめによる固定であっても良い。
【０１１３】
第１実施形態において、板状部材９として、金属部材からなる導電部材９ｂが埋設された合成樹脂部材からなる構成としたが、板状部材９を、導電パターンがエッチング等で形成されたプリント基板によって構成しても良い。
【符号の説明】
【０１１４】
１      ケース
１ａ    角部
１ｂ    側壁部
１ｃ    突出部
１ｄ    開口部
１ｅ    天面部
２      レンズ保持部材
２ａ    筒状部
２ｂ    上側板ばね配置部
２ｃ    下側鍔部
２ｄ    上側鍔部
２ｅ    突出部
２ｆ    磁石保持部
２ｇ    バランサー保持部
２ｈ    コイル保持部
２ｋ    下側板ばね保持部
２ｍ    下側板ばね保持突起
２ｎ    コイル巻付部
３      駆動用磁石
４      コイル
４ａ    巻回部
４ｂ    端部
５      検出用磁石
６      磁気検出部材
６ａ    検出面
６ｂ    端子部
７      バランサー
８      ベース部材
８ａ    給電用端子
８ｂ    接地用端子
８ｃ    側端部
８ｄ    切り欠き部
８ｅ    台座部
８ｆ    下側板ばね配置部
８ｇ    下側板ばね固定突起
８ｈ    規制壁
８ｋ    規制凹部
８ｍ    金属部材
８ｎ    第１金属部材
８ｐ    第２金属部材
８ｑ    固定板
８ｒ    第１給電端子
８ｓ    第１接続部
８ｔ    第２給電端子
８ｖ    第２接続部
９      板状部材
９ａ    外部端子
９ｂ    導電部材
９ｃ    係合部
９ｄ    基材部
９ｅ    段差部
１０    上側板ばね
１０ａ  上側第１部分
１０ｂ  上側第２部分
１０ｃ  上側弾性腕部
１０ｄ  上側第１腕
１０ｅ  上側第１屈曲部
１０ｆ  上側第２腕
１０ｇ  上側第２屈曲部
１０ｈ  上側第３腕
１０ｋ  上側延在部
１０ｍ  上側連結部
１０ｎ  上側幅広部
１０ｐ  上側貫通孔
１１    下側板ばね
１１ａ  第１下側板ばね
１１ｂ  第２下側板ばね
１１ｃ  下側第１部分
１１ｄ  下側取付部
１１ｅ  第１下側固定孔
１１ｆ  下側第２部分
１１ｇ  第２下側固定孔
１１ｈ  溶接部
１１ｋ  下側弾性腕部
１１ｍ  下側第１腕
１１ｎ  下側第１屈曲部
１１ｐ  下側第２腕
１１ｑ  下側第２屈曲部
１１ｒ  下側第３腕
１１ｓ  下側連結部
１２    ダンパ材
１３    スペーサー
１３ａ  位置決め突起
４０    筺体
５０    固定側部材
６０    付勢部材
６０ａ  一方の板ばね
６０ｂ  第１部分
６０ｃ  第２部分
６０ｄ  弾性腕部
６０ｅ  延在部
６０ｆ  連結部
６０ｇ  屈曲部
６０ｈ  幅広部
６０ｋ  貫通孔
７０    駆動機構
８０    位置検出手段
１００  レンズ駆動装置
ＤＲ１  光軸方向
ＬＥ    レンズ体
ＬＳ    光軸
ＳＯ    半田
ＷＥ    溶接
【図１】
0006346830.tif 000002
【図２】
0006346830.tif 000003
【図３】
0006346830.tif 000004
【図４】
0006346830.tif 000005
【図５】
0006346830.tif 000006
【図６】
0006346830.tif 000007
【図７】
0006346830.tif 000008
【図８】
0006346830.tif 000009
【図９】
0006346830.tif 000010
【図１０】
0006346830.tif 000011
【図１１】
0006346830.tif 000012
【図１２】
0006346830.tif 000013
【図１３】
0006346830.tif 000014
【図１４】
0006346830.tif 000015
【図１５】
0006346830.tif 000016
【図１６】
0006346830.tif 000017
【図１７】
0006346830.tif 000018
【図１８】
0006346830.tif 000019
【図１９】
0006346830.tif 000020
【図２０】
0006346830.tif 000021
【図２１】
0006346830.tif 000022
【図２２】
0006346830.tif 000023
【図２３】
0006346830.tif 000024
【図２４】
0006346830.tif 000025
【図２５】
0006346830.tif 000026
【図２６】
0006346830.tif 000027
【図２７】
0006346830.tif 000028